(57)【要約】      （修正有）【課題】撮影レンズを操作するための空間を確保する大型モニタを搭載した撮像装置を提供する。【解決手段】表示パネル４０２を光軸に平行且つ水平に配置し、その面に対し、反射ミラー４０１を約４５°に配置し、斜めに配置された反射ミラー４０１の下側に操作ダイヤル３０９を配置することにより、撮像装置本体１０２に対し電子ビューファインダ１０３を移動した際でも、レンズリングズーム１０４、レンズリングフォーカス１０５の操作の妨げにならない。【選択図】図４
2016092797.tif 000002
【特許請求の範囲】
【請求項１】
レンズを有する本体部と、前記本体部に移動可能に取り付けられたファインダ部を有する撮像装置において、前記ファインダ部には、表示パネルと、前記表示パネルから発した光線を折り曲げる反射ミラーとモニタ操作部を有し、前記表示モニタはファインダーレンズの光軸に対して平行且つ、水平に配置され、前記反射ミラーは、前記表示パネルに対し４５°傾いて配置され、前記反射ミラーの背面に操作部を配置したことを特徴とする撮像装置。
【請求項２】
電子ビューファインダーには操作基板が配置されており、前記操作基板は表示パネルに対し垂直に配置されていることを特徴とする請求項１に記載の撮像装置。
【請求項３】
電子ビューファインダーに搭載された前記操作基板は前記反射ミラーより小さいことを特徴とする請求項１に記載の撮像装置。
【発明の詳細な説明】
【技術分野】
【０００１】
本発明は、撮像装置に関する。
【背景技術】
【０００２】
従来、業務用に用いられるビデオカメラには、カメラ本体に撮影している映像を映し出すための電子ビューファインダーが搭載されている。前記電子ビューファインダーには、反射ミラーを使用し、電子ビューファインダ内部に配置された表示部に映し出された映像を、反射させ、その映像を見るというものや、被写体に対し平行にモニターを配置し、レンズにより拡大して映像を見るというものがある。これらの電子ビューファインダには、表示の色味やコントラストなどを操作する操作ノブが配置され、撮像レンズ光軸方向、被写体側に操作ノブが配置されている。
【０００３】
また、従来の業務用電子ビューファインダーは、撮像装置本体に対し、前後、左右、上下に移動可能に取り付けられており、撮影者の目の位置に合わせて電子ビューファインダーを移動させて最適な位置で撮影ができるように取り付けられている(特許文献１参照）。
【先行技術文献】
【特許文献】
【０００４】
【特許文献１】特開２０１１−８７２５５号公報
【発明の概要】
【発明が解決しようとする課題】
【０００５】
しかしながら、特許文献１では、表示モニタが大型化すると、図５に示すように、電子ビューファインダ501が撮影レンズ502の側面に配置される。このため、電子ビューファインダのある側面から操作を行う場合、前記撮影レンズ502の操作の妨げになるという問題がある。
【課題を解決するための手段】
【０００６】
上記の問題を解決するために、本発明は、レンズを有する本体部と、前記本体部に移動可能に取り付けられたファインダ部を有する撮像装置において、前記ファインダ部には、表示パネルと、前記表示パネルから発した光線を折り曲げる反射ミラーとモニタ操作部を有し、前記表示モニタはファインダーレンズの光軸に対して平行且つ、水平に配置され、前記反射ミラーは、前記表示パネルに対し略45°傾いて配置され、前記反射ミラーの背面に操作部を配置したことを特徴とする。
【０００７】
また、本発明の他の特徴とするところは、電子ビューファインダーには操作基板が配置されており、前記操作基板は表示パネルに対し垂直に配置されていることを特徴とする。
【０００８】
また、本発明のその他の特徴とするところは、電子ビューファインダーに搭載された前記操作基板は前記反射ミラーより小さいことを特徴とする。
【発明の効果】
【０００９】
本発明の撮像装置によれば、反射ミラーを用いて光路を折り曲げる構造のファインダにおいて、表示モニターを光軸に平行且つ水平に配置し、その面に対し、反射ミラーを約４５°傾けて配置し、前記反射ミラーの背面、且つ下側に、表示モニタ操作ノブを配置する。これにより、撮影レンズの操作のための空間を確保することが可能になる。
【図面の簡単な説明】
【００１０】
【図１】本発明実施例に係わる撮像装置の全体図。
【図２】本発明実施例に係わる撮像装置のブロック図。
【図３】本発明実施例に係わる撮像装置のファインダー斜視図。
【図４】ファインダーの断面図。
【図５】従来の撮像装置図。
【発明を実施するための形態】
【００１１】
以下、本発明を実施するための形態を図面に基づいて説明する。
【００１２】
＜第１の実施形態＞
図１に示す100は撮像装置全体を示しており、図の矢印のように前後左右上下とする。101は撮像装置本体であり、内部には情報処理等を行うＭＡＩＮ基板や、他の機器と接続するためのインターフェイスが配置されている。また、前記撮像装置本体101には、撮像レンズ102を交換可能に取り付けられるマウント部が設けられており、レンズを交換して撮影を行うことができる。
【００１３】
103は電子ビューファインダーであり、内部に撮像装置によって撮影された映像を映すための表示モニタが配置されている。また、前記撮像装置本体101に取り外し可能に接続され、更には、前記撮像装置本体101に対し回転可能なヒンジ（不図示）を介して取り付けられている。前記撮像レンズ102には、レンズリング104とレンズリング105が配置されている。前記レンズリング104はリングを回転させることによりズーム操作を行うことが可能であり、前記レンズリング105はリングを回転させることによりフォーカス操作を行うことが可能である。
【００１４】
次に図２は本実施形態による撮像装置100の構成例を示すブロック図である。図２において、201は本体から取り外し可能に構成された撮影レンズであり、202は光学像を電気信号に変換するＣＣＤやＣＭＯＳ素子等で構成される撮像部である。203はＡ／Ｄ変換器であり、アナログ信号をデジタル信号に変換する。Ａ／Ｄ変換器203は、撮像部202から出力されるアナログ信号をデジタル信号に変換するために用いられる。
【００１５】
Ａ／Ｄ変換器203からの出力データは、メモリ制御部204を介して、メモリ205に直接書き込まれる。メモリ205は、前記撮像部202によって得られ前記Ａ／Ｄ変換器203によりデジタルデータに変換された画像データや、表示部206に表示するための画像データを格納する。メモリ205は、所定枚数の静止画像や所定時間の動画像および音声を格納するのに十分な記憶容量を備えている。
【００１６】
また、メモリ205は画像表示用のメモリ（ビデオメモリ）を兼ねている。前記表示部206は、ＥＶＦの表示器上に表示を行う。207は表示部設定切り替えを行う操作部であり、表示部の設定を調整することができる。208はシステム制御部であり、前記撮像装置100全体を制御する。記録媒体209は、メモリカード等の記録媒体であり、半導体メモリや磁気ディスク等から構成される。
【００１７】
210は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部210は、その検出結果及びシステム制御部208の指示に基づいてＤＣ−ＤＣコンバータを制御し、必要な電圧を必要な期間、各部へ供給する。
211は電源部であり、アルカリ電池やリチウム電池等の一次電池やＮｉＣｄ電池やＮｉＭＨ電池、Ｌｉ電池等の二次電池、ＡＣアダプター等からなる。
【００１８】
次に図３を用いて前記電子ビューファインダー103の詳細形状について説明する。図３（a）に示す301はミラーボックスであり、内部に形成された面に反射ミラーを固定している。更に、前記撮像装置本体101へは、回転ヒンジにより接続され回転可能に取りつけられている。
【００１９】
次に、前記ミラーボックス301には、第1のヒンジ302と第2のヒンジ303が搭載されている。前記第1のヒンジは、前記ミラーボックス301と撮像した映像を表示する、304表示部を接続している。前記表示部304の接続は２軸ヒンジにより接続されていおり、前記表示部304の開閉及び左右に回転することができる。また、前記第1のヒンジ302は前記表示部304の長辺側に略平行に取り付けられている。
【００２０】
次に303は第2のヒンジであり、前記ミラーボックス301とファインダーレンズ鏡筒305を1軸ヒンジにより接続し、ファインダーレンズ鏡筒305を開閉可能に取りつけている。また、前記第1のヒンジ302と前記第2のヒンジ303は前記表示部304を挟んで平行に配置されている。前記ファインダーレンズ鏡筒305は、ファインダーレンズ306を保持し、先端には、アイカップ307が取り付けられている。308はロックノブであり、前記表示部304の動作を規制することができる。図３（b）309は操作ダイヤルであり、ファインダー表示部に映る画像の輝度や色味を調整することができる。
【００２１】
次に図４を用いて、前記電子ビューファインダー103の内部構造について説明する。図４（ａ）は前記撮像装置100を側面から見た図を示している。図４（ｂ）は図４（ａ）に示したA部を拡大し、更に前記ファインダーレンズ306の光軸で切った断面図である。前記表示部304には表示パネル402が配置されている。前記表示パネルは電子ビューファインダーの光軸と平行且つ、水平に配置されている。これに対し約45°傾いた状態で反射ミラー401が配置されている。前記反射ミラー401は前記表示パネル402に映った映像を反射させ、光路を折り曲げる。
【００２２】
前記反射ミラー401を保持するためのミラーホルダー403は、前記ミラーボックス301に固定されており、前記反射ミラー401の中央部を外部から押された際に力を受けることができる。また、前記反射ミラーホルダーは前記操作ダイヤル309が実装された操作ダイヤル基板404の固定も兼ねている。前記操作ダイヤル基板404は前記表示パネル402に対し垂直に配置され、更に、前記操作ダイヤル基板404は、前記反射ミラー401より小さい。また、前記操作ダイヤル309は前記反射ミラー401の背面且つ、前記電子ビューファインダ103の下側に配置されている。
【００２３】
更に、前記反射ミラーホルダー403は前記操作ダイヤル基板404の固定位置から腕を伸ばし前記反射ミラーの受け部を配置してあるため、前記操作ダイヤル309に力が加わっても、直接前記反射ミラー401に力が加わらない構造になっている。
【００２４】
次に、図４（ｂ）に破線で示したＢの領域は、反射ミラーを斜めに配置することによってできた空間である。この空間によりレンズリングの操作時に電子ビューファインダーが操作の妨げにならない。
【００２５】
以上説明したように、表示パネルは、ファインダの光軸に対し平行且つ水平に配置され、それに対し反射ミラーが約45°の角度で配置されたファインダー装置では、反射ミラーを斜めに配置したことでできた空間（Ｂ領域）により、ファインダーの位置をユーザーが使用する最適な位置に移動してもレンズリングの操作の妨げにならない配置になっている。
【符号の説明】
【００２６】
１００  撮像装置全体、１０１  撮像装置本体、１０２  撮像レンズ、
１０３  電子ビューファインダー、１０４  レンズリングズーム、
１０５  レンズリングフォーカス、３０１  ミラーボックス、３０２  第１のヒンジ、
３０３  第２のヒンジ、３０４  表示部、３０５  ファインダーレンズ鏡筒、
３０６  ファインダーレンズ、３０７  アイカップ、３０８  ロックノブ、
３０９  操作ダイヤル、４０１  反射ミラー、４０２  表示パネル、
４０３  ミラーホルダー、４０４  操作ダイヤル基板
【図１】
2016092797.tif 000003
【図２】
2016092797.tif 000004
【図３】
2016092797.tif 000005
【図４】
2016092797.tif 000006
【図５】
2016092797.tif 000007